Podtech/llm-jp-corpus-v4-ja_patent huggingface dataset:
【手続補正書】
【提出日】平成28年8月10日(2016.8.10)
【手続補正１】
【補正対象書類名】特許請求の範囲
【補正対象項目名】全文
【補正方法】変更
【補正の内容】
【特許請求の範囲】
【請求項１】
アディティブ・マニュファクチャリング・プロセスによって部品を製作する直接インクジェット印刷システムであって、
画定されたパターンに基づいて、インク送達システムから複数のノズルを通してインクを分注するように動作する印刷ヘッドと、前記印刷ヘッドは、第１の通過にわたって印刷直交方向に１画素分の間隔をあけてインクの液滴の第１のアレイを分注し、次の第２の通過にわたって前記印刷直交方向に１画素分の間隔をあけてインクの液滴の第２のアレイを分注するように構成され、前記第２のアレイは、前記第１のアレイによって形成される前記１画素分の間隔の少なくとも一部分を充填し、前記第１の通過および前記第２の通過は、インクの単一層を形成する、
前記画定されたパターンに基づいて、前記分注されたインクを一度に１層ずつ受け取る造形テーブルと、前記部品は、前記印刷ヘッドから分注される前記インクの複数の層から形成される、
前記印刷ヘッドから分注される前記インクの前記複数の層に対して毎回前記第１および第２の通過後に層ごとに乾燥プロセスを実行するように動作する乾燥ステーションと、
を備え、
前記造形テーブルは、前記乾燥ステーション内に層ごとに前進するように動作可能である、
前記システム。
【請求項２】
前記造形テーブルは、前記印刷ヘッドが前記インクを分注する間に前記複数の層を走査するために、前記印刷方向および前記印刷直交方向に可動である、請求項１に記載のシステム。
【請求項３】
前記造形テーブルは、回転可能な造形プラットホームを含む、請求項１に記載のシステム。
【請求項４】
前記造形テーブル上に位置決めされたマットを備え、前記マットは、前記分注された材料を受け取るように動作し、また、前記マットは、前記マット上に分注される前記インクの表面張力よりも高い表面張力を提供するように適合される、請求項１に記載のシステム。
【請求項５】
前記マットは、インクジェット用紙である、請求項４に記載のシステム。
【請求項６】
前記乾燥ステーションは、
ハウジングと、
前記ハウジング内に前記造形テーブルを受け取る摺動ドアと、
前記ハウジング内の空気を循環させるように動作する送風機と、
前記送風機によって循環される前記空気を加熱するように動作する加熱ユニットと、
を備える、請求項１に記載のシステム。
【請求項７】
前記乾燥ステーションは、前記造形テーブル上に分注される前記インク層上に高温の空気の噴流を当てるように動作し、また、前記乾燥ステーションは、前記高温の空気を噴射するノズル板を含む、請求項６に記載のシステム。
【請求項８】
２つの乾燥ステーションを備える、請求項１に記載のシステム。
【請求項９】
造形材料を分注する第１の印刷ヘッドと、支持材料を分注する第２の印刷ヘッドとを備える、請求項１〜８のいずれか一項に記載のシステム。
【請求項１０】
前記印刷ヘッドによって分注される前記インクの粘性は、分注温度で１０〜２０ｃｐｓである、請求項１〜８のいずれか一項に記載のシステム。
【請求項１１】
前記印刷ヘッドによって分注される前記インクは、セラミック粉末、カプセル化された金属の極微粒子、および可溶性ポリマーの少なくとも１つが配合されたインクである、請求項１〜８のいずれか一項に記載のシステム。
【請求項１２】
前記印刷ヘッドによって分注される前記インクは、焼結に適している、請求項１〜８のいずれか一項に記載のシステム。
【請求項１３】
前記インク送達システムは、重力に基づく循環で前記インクを循環させるように動作する、請求項１〜８のいずれか一項に記載のシステム。
【請求項１４】
複数の層を一度に平坦化するように動作するローラを備え、前記ローラは、前記分注されたインクの方へ要求に応じて降下するように動作する、請求項１〜８のいずれか一項に記載のシステム。
【請求項１５】
前記システムの休止期間中には前記印刷ヘッドの位置に位置合わせされ、印刷中には前記印刷ヘッドから変位されるように動作可能な保守ステーションを備え、前記保守ステーションは、前記印刷ヘッド上に洗浄液を噴霧するように動作するノズルと、吸い取り紙とを備え、前記吸い取り紙を前記印刷ヘッドの方へ上昇させる機構を有する、請求項１〜８のいずれか一項に記載のシステム。
【請求項１６】
アディティブ・マニュファクチャリング・プロセスによって部品を製作する直接インクジェット印刷方法であって、
前記部品を製作するために画定されたパターンに従って、インクの液滴を層単位で分注するステップと、層は、２ステップ・プロセスで印刷され、また、前記インクは、セラミック粉末、カプセル化された金属の極微粒子、および可溶性ポリマーの少なくとも１つが配合されている、
造形テーブルを乾燥ステーション内に層ごとに前進させるステップと、
毎回前記２ステップ・プロセスの第１および第２のステップ後に層ごとに前記乾燥ステーションにおいて前記インクの液滴を乾燥させるステップと、
を含み、
前記２ステップ・プロセスの前記第１のステップは、印刷直交方向に１画素分の間隙をあけて前記液滴の第１のアレイを印刷方向に走査することを含み、前記２ステップ・プロセスの前記第２のステップは、前記印刷直交方向に１画素分の間隙をあけて前記液滴の第２のアレイを前記印刷方向に走査することを含み、前記第２のアレイは、前記第１のアレイによって形成される前記１画素分の間隙の少なくとも一部分を充填する、
前記方法。
【請求項１７】
製作中に前記部品を支持するために画定されたパターンに従って、支持材料の液滴を層単位で分注するステップを含み、前記支持材料の液滴の層は、前記部品を製作するための前記インクの液滴の対応する層を形成した後に分注される、請求項１６に記載の方法。
【請求項１８】
次の層を印刷する前に前記層を９０度回転させるステップを含む、請求項１６または１７に記載の方法。
【請求項１９】
前記インクの液滴は、ノズルのアレイを含む印刷ヘッドによって分注され、前記印刷ヘッドは、次の層を印刷する前に、前記印刷直交方向に画素距離の２分の１変位される、請求項１６または１７に記載の方法。
【請求項２０】
複数の層のそれぞれを一度に平坦化するステップを含む、請求項１６または１７に記載の方法。
【請求項２１】
前記部品を焼結するステップを含む、請求項１６または１７に記載の方法。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
対象物を認証するための方法であって、
タガント、摂動剤、およびポリマーを含むコーティングを含む対象物を提供する工程であって、
タガントが核酸を含み、
摂動剤が、ヒドロキシプロピルデンプンおよびピロリドン化合物の一方または両方を含み、
ポリマーが、ポリウレタン、セラック、ラッカー、アクリル化合物およびエポキシ系化合物の１または複数である、工程と；
対象物からタガントの核酸を回収する工程であって、摂動剤が、核酸タガントの回収性を高める、工程と；
タガントの核酸を識別することによって対象物の真贋を検証する工程と；
を含む方法。
【請求項２】
タガントが、ＤＮＡと、アップコンバージョン蛍光体（UCP）、ＵＶフルオロフォア、セラミックＩＲマーカー、アミノ酸、タンパク質、フェロモン、香気、微量元素および希土類元素の１または複数と、を含む、請求項１に記載の方法。
【請求項３】
タガントが、ＤＮＡと、アップコンバージョン蛍光体（UCP）またはＵＶフルオロフォアのいずれかとからなる、請求項２に記載の方法。
【請求項４】
対象物から回収されたＤＮＡが、ＰＣＲまたはＦＩＳＨを含む方法を使用して識別される、請求項２に記載の方法。
【請求項５】
ＤＮＡが、ＤＮＡに特異的なプライマーを使用して特異的アンプリコンを生成するＰＣＲ反応と、ポリメラーゼ連鎖反応において増幅された特異的アンプリコンの数および特異的アンプリコンのそれぞれの長さの識別とにおいて認証される、請求項４に記載の方法。
【請求項６】
摂動剤の量が、ポリマーの０．１〜３０％ｗ／ｗの範囲である、請求項１に記載の方法。
【請求項７】
摂動剤の量が、ポリマーの１〜２０％ｗ／ｗの範囲である、請求項６に記載の方法。
【請求項８】
摂動剤の量が、ポリマーの１〜１０％ｗ／ｗの範囲である、請求項７に記載の方法。
【請求項９】
タガントが、ＤＮＡを含む、請求項１に記載の方法。
【請求項１０】
対象物を認証するための方法であって、
核酸を含むタガントを１または複数と、摂動剤と、ポリマーとを含む対象物を提供する工程であって、
摂動剤が、ヒドロキシプロピルデンプンおよびピロリドン化合物の一方または両方を含み、
ポリマーが、ポリウレタン（PU）、ポリスチレン（PS）、ポリプロピレン（PP）、ポリ塩化ビニル（PVC）、ポリ酢酸ビニル（PVA）、ポリエステル（PES）、ポリエチレンテレフタレート（PET）、ポリエチレン（PE）およびポリ塩化ビニリデン（PVDC）からなる群から選択される、工程と；
対象物から１または複数のタガントを回収する工程であって、摂動剤が、核酸タガントの回収性を高める、工程と；
タガントの１または複数を識別することによって対象物の真贋を検証する工程と；
を含む方法。
【請求項１１】
タガントが、ＤＮＡと、アップコンバージョン蛍光体（UCP）、ＵＶフルオロフォア、セラミックＩＲマーカー、アミノ酸、タンパク質、フェロモン、香気、微量元素および希土類元素の１または複数と、を含む、請求項１０に記載の方法。
【請求項１２】
対象物から回収されたＤＮＡが、ＰＣＲまたはＦＩＳＨを含む方法を使用して認証される、請求項１１に記載の方法。
【請求項１３】
ＤＮＡタガントが、ＤＮＡタガントに特異的なプライマーを使用して特異的アンプリコンを生成するＰＣＲ反応と、ポリメラーゼ連鎖反応において増幅された特異的アンプリコンの数および特異的アンプリコンのそれぞれの長さの識別とにおいて認証される、請求項１２に記載の方法。
【請求項１４】
摂動剤の量が、ポリマーの０．１〜３０％ｗ／ｗの範囲である、請求項１０に記載の方法。
【請求項１５】
摂動剤の量が、ポリマーの１〜２０％ｗ／ｗの範囲である、請求項１４に記載の方法。
【請求項１６】
摂動剤の量が、ポリマーの１〜１０％ｗ／ｗの範囲である、請求項１５に記載の方法。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
骨の第１の位置に配置されるように構成された第１の縫合糸固定部と、
縫合糸であって、前記縫合糸の第１の端部の近傍の第１の領域と、第２の領域と、前記縫合糸の第２の端部の近傍の第３の領域と、を含む縫合糸と、
骨の第２の位置に配置されるように構成された第２の縫合糸固定部と、を含み、
前記縫合糸が、前記第１の縫合糸固定部および前記第２の縫合糸固定部に通されて、軟組織の底面から前記軟組織の上面まで前記軟組織に通されるように構成された内側列、および、前記軟組織の前記上面を横切って置かれるように構成された外側列を形成し、
前記縫合糸の前記第２の領域は前記外側列を形成する、軟組織の修復のためのシステム。
【請求項２】
前記縫合糸の前記第１の端部が、前記縫合糸の前記第２の領域に通されるように構成される、請求項１に記載のシステム。
【請求項３】
前記縫合糸が非対称縫合糸であり、前記非対称縫合糸が、
第１の幅を有する前記第１の領域と、
第２の幅を有する前記第２の領域と、
第３の幅を有する前記第３の領域と、によって少なくとも部分的に画成され、
前記第２の幅が前記第１の幅および前記第３の幅より広い、請求項１に記載のシステム。
【請求項４】
前記第２の縫合糸固定部が固定部本体および固定部プラグを含み、前記固定部本体が、横断穴と、前記縫合糸固定部の周面に沿ったネジ山および前記縫合糸固定部の長さに沿った溝を有する外面と、前記固定部プラグに係合するように構成されたネジ山を有する内面と、を有する、請求項１に記載のシステム。
【請求項５】
前記縫合糸の前記第１の端部が前記軟組織の上面に固定され、前記縫合糸の前記第２の端部が前記第１の縫合糸固定部の横断穴に通されるように構成される場合、前記第１の縫合糸固定部が前記横断穴を介して前記縫合糸の動きを支持するように構成される、請求項１に記載のシステム。
【請求項６】
前記縫合糸の前記第２の端部が、前記第１の縫合糸固定部から所定の外側距離で前記第２の縫合糸固定部の横断穴に通されるように構成される場合、前記第２の縫合糸固定部が、前記縫合糸の全長に沿って前記縫合糸に張力をかけるように構成される、請求項１に記載のシステム。
【請求項７】
前記縫合糸の張力が、前記固定部本体に前記固定部プラグを螺入および螺退することによって調整またはロックすることができる、請求項４に記載のシステム。
【請求項８】
前記外側列および前記内側列が、各列の間に縫合糸の結び目を作ることなく形成される、請求項１に記載のシステム。
【請求項９】
複数の縫合糸をさらに含み、各縫合糸が少なくとも１つの対応する縫合糸固定部を有する、請求項１に記載のシステム。
【請求項１０】
軟組織修復のための非対称縫合糸であって、
前記非対称縫合糸の第１の端部の近傍にあり、第１の幅を有する第１の領域と、
第２の幅を有する第２の領域と、
前記非対称縫合糸の第２の端部の近傍にあり、第３の幅を有する第３の領域と、を含み、
前記第２の幅が前記第１の幅および前記第３の幅より広く、
前記非対称縫合糸に張力をかけると、前記第２の領域を前記軟組織の上面に配置して前記非対称縫合糸と前記軟組織との間により広い接触領域を提供するように、前記非対称縫合糸が所定の長さである、非対称縫合糸。
【請求項１１】
前記非対称縫合糸の前記第１の端部が、前記非対称縫合糸の前記第２の領域に通されるように構成される、請求項１０に記載の非対称縫合糸。
【請求項１２】
前記第２の領域の形状が、四角形、楕円形、クローバ型、涙型および半円形から構成された群から選択される、請求項１０に記載の非対称縫合糸。
【請求項１３】
縫合糸ループをさらに含み、前記縫合糸ループは、
第１の半分および第２の半分を有する環形状に形成された圧縮可能材料と、
前記圧縮可能材料の内部の周面に沿って提供された複数の歯と、を含み、
前記圧縮可能材料が、前記縫合糸を収容するように構成され、
前記圧縮可能材料が、自身の上に圧縮し、その結果、前記第１の半分の内部の前記周面に沿って提供された前記歯が、前記第２の半分の内部の前記周面に沿って提供された前記歯に係合して前記縫合糸を固定するように構成される、請求項１に記載のシステム。
【請求項１４】
前記第１の領域は複数の歯を有し、
前記第３の領域は複数の歯を有し、
前記縫合糸がループ状に結ばれると、前記第１の領域の前記複数の歯が前記第３の領域の前記複数の歯に係合して、前記縫合糸の前記第２の領域を固定するように構成される、請求項１に記載のシステム。
【手続補正書】
【提出日】平成28年2月29日(2016.2.29)
【手続補正１】
【補正対象書類名】特許請求の範囲
【補正対象項目名】全文
【補正方法】変更
【補正の内容】
【特許請求の範囲】
【請求項１】
補償光学走査システムであって、
第１の光を発生させるための発光源（７０５）であって、前記第１の光は前記補償光学走査システムを通って標本（７１０）に向けられる発光源と、
１つ以上の補償光学素子（７１５）であって、波面に影響を及ぼすか、強度に影響を及ぼすか、または前記第１の光の波面と強度の両方に影響を及ぼす補償光学素子（７１５）と、
ビーム照射モジュール（７２０）であって、４つ以上の運動軸によって動作し、前記補償光学素子にまたは前記補償光学素子付近にビーム旋回軸点を作成することまたは適応させることによって前記補償光学素子（７１５）を優先的にインターフェースするように前記第１の光の角度および位置を制御しながら、前記第１の光を前記標本（７１０）にわたって走査するビーム照射モジュール（７２０）と、
前記ビーム照射モジュール（７２０）における前記軸の運動軌跡を制御するためのコントローラ（７２５）と、
標本伝達オプティクス（７３０）であって、前記第１の光を適切に調整して前記標本（７１０）に向ける標本伝達オプティクス（７３０）と、
１つ以上の検出器（７３５）であって、前記標本（７１０）からの第２の光を測定する検出器（７３５）と、を備える、
補償光学走査システム。
【請求項２】
前記補償光学システムは、光コヒーレンストモグラフィ（ＯＣＴ）を実行するものであり、
前記補償光学走査システムはさらに、干渉計（１１０）と、標本経路（１１５）と、干渉ＯＣＴ信号を得るための参照経路（１２０）とを備える、
請求項１に記載の補償光学走査システム。
【請求項３】
前記補償光学走査システムは、多光子撮像を実行するものであり、
前記補償光学走査システムは、光路におけるダイクロイックミラー（１９４）をさらに備え、前記検出器（７３５）は、弾道を測定し、前記標本からの散乱蛍光または前記標本から発せられた第２の光を逓倍する、
請求項１に記載の補償光学走査システム。
【請求項４】
前記標本（７１０）は、寸法特性に関し特徴づけられる、
請求項１に記載の補償光学走査システム。
【請求項５】
前記補償光学素子（７１５）が可変形鏡である、
請求項１に記載の補償光学走査システム。
【請求項６】
前記補償光学素子（７１５）が液晶空間光変調器である、
請求項１に記載の補償光学走査システム。
【請求項７】
補償光学素子の数が２つ以上であり、前記補償光学素子のいずれか１つのみを使用する場合よりも好ましい補正を達成するために、前記２つ以上の補償光学素子（７１５）が、異なる補正範囲、異なるアクチュエータまたは画素配列、異なるアクチュエータまたは画素間隔、または、異なる時間的な応答を有する、
請求項１に記載の補償光学走査システム。
【請求項８】
前記補償光学素子（７１５）は、前記標本における収差を補償する、
請求項１に記載の補償光学走査システム。
【請求項９】
前記補償光学素子（７１５）は、前記補償光学走査システム内の残留収差を補償する、
請求項１に記載の補償光学走査システム。
【請求項１０】
前記ビーム照射モジュール（７２０）の少なくとも１つの軸は回転する、
請求項１に記載の補償光学走査システム。
【請求項１１】
前記ビーム照射モジュール（７２０）は、少なくとも１つの高速ステアリングミラー（ＦＳＭ）を備える、
請求項１に記載の補償光学走査システム。
【請求項１２】
前記ビーム照射モジュール（７２０）は、少なくとも１つのステアリングミラー、音響光学偏向器、回転ポリゴン、電気光学ビーム偏光器、電気光学プリズム、熱光学プリズム、または回折アレイを備える、
請求項１に記載の補償光学走査システム。
【請求項１３】
前記補償光学素子（７１５）は、前記システムの瞳孔面と共役である、
請求項１に記載の補償光学走査システム。
【請求項１４】
前記補償光学素子（７１５）は、補償光学補正を改善するために前記瞳孔面の外部の面と共役である、
請求項１に記載の補償光学走査システム。
【請求項１５】
前記システムは、前記標本（７１０）または前記標本（７１０）内の点光源からの第３の光における収差を測定するための波面センサを備え、
前記システムは、前記波面センサによって得られた前記収差についての情報を使用することによって、適切な補償光学補正を決定する、
請求項１に記載の補償光学走査システム。
【請求項１６】
前記システムは、波面センサレス補償光学最適化方法を使用することによって、適切な補償光学補正を決定する、
請求項１に記載の補償光学走査システム。
【請求項１７】
前記補償光学最適化方法は、一連の補償光学形状を生成し、前記形状を前記撮像システムに適用し、前記検出器（７３５）からの前記第２の光の測定に基づいてメトリック値を計算することにより前記形状の影響を評価し、画像または信号品質を向上させるために前記補償光学素子（７１５）を更新する、
請求項１６に記載の補償光学走査システム。
【請求項１８】
前記ビーム照射モジュール（７２０）は、機械的に走査される鏡、モーターによって駆動される機械的に走査される鏡、ステッピングモーターによって駆動される機械的に走査される鏡、ガルバノメータによって駆動される機械的に走査される鏡、ＭＥＭＳミラー、音響光学変調器、または液晶デバイスを備える、
請求項１に記載の補償光学走査システム。
【請求項１９】
モジュラー補償光学ユニットであって、
１つ以上の入口ポート（３８９０）であって、１つ以上の光ビームが前記モジュラー補償光学ユニットに入ることを可能にする入口ポートと、
１つ以上の出力ポート（３８９５）であって、前記光ビームが通過または終端し得る１つ以上のビーム経路に沿って設けられた出力ポートと、
１つ以上の補償光学素子であって、波面に影響を及ぼすか、強度に影響を及ぼすか、または前記光ビームの波面と強度の両方に影響を及ぼす補償光学素子と、
ビームステアリング素子のセットであって、前記光ビームがその周りを旋回させられる少なくとも１つの有効回転点を優先的に作成するために、前記光の伝播経路の角度または前記光の横断位置、または前記光の伝播経路に影響を及ぼす４つ以上の運動軸を作成するビームステアリング素子と、
優先的な経路に沿って前記光ビームを向けるように前記ビームステアリング素子の軌跡を制御するための手段と、を備える、
モジュラー補償光学ユニット。
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
解剖学的体積の境界の少なくとも一部をマッピングするための囲まれた解剖学的体積内に配置可能な体積マッピング器具において、
少なくとも１つの医学的ツールであって、各医学的ツールは、前記解剖学的体積内に各医学的ツールを規則的に配置するための配置可能な構造形態と前記解剖学的体積の境界に対して各医学的ツールを固定するためのマッピング構造形態との間で遷移する、前記医学的ツールと、
各医学的ツールに隣接した光学的形状センサであって、各医学的ツールが前記解剖学的体積内で前記配置可能な構造形態から前記マッピング構造形態に遷移するのに応じて前記解剖学的体積の前記境界の少なくとも一部の形状を示す少なくとも１つの符号化された光学的信号を生成するように構造的に構成される、当該光学的形状センサと、
を有する、体積マッピング器具。
【請求項２】
前記光学的形状センサは、動き、歪、気体流、流量、磁性、電圧、温度、圧力、及び生化学的状態の少なくとも１つを測定する、請求項１に記載の体積マッピング器具。
【請求項３】
各医学的ツールに対する前記光学的形状センサの隣接は、前記光学的形状センサの少なくとも１つが各医学的ツール及び各医学的ツールを通って延在する前記光学的形状センサを横切ることを含む、請求項１に記載の体積マッピング器具。
【請求項４】
前記少なくとも１つの医学的ツールが、少なくとも１つの医学的バルーンを含み、各医学的バルーンが、前記解剖学的体積内で前記医学的バルーンを規則的に配置するための収縮状態と前記解剖学的体積の前記境界に対して前記医学的バルーンを固定するための膨張状態との間で遷移する、請求項１に記載の体積マッピング器具。
【請求項５】
前記少なくとも１つの医学的ツールが、少なくとも１つの医学的バスケットを含み、各医学的バスケットが、形状記憶材料を含み、前記解剖学的体積内で前記医学的バスケットを規則的に配置するための細長い形状と前記解剖学的体積の前記境界に対して前記医学的バスケットを固定するための球状形状との間で遷移する、請求項１に記載の体積マッピング器具。
【請求項６】
前記少なくとも１つの医学的ツールが、少なくとも１つの医学的チューブであり、各医学的チューブが、形状記憶材料を含み、前記解剖学的体積内で前記医学的チューブを規則的に配置するための細長い形状と前記解剖学的体積の前記境界に対して前記医学的チューブを固定するためのらせん形状との間で遷移する、請求項１に記載の体積マッピング器具。
【請求項７】
前記光学的形状センサが、少なくとも１つの光ファイバを含み、各光ファイバは、各医学的ツールが前記解剖学的体積内で前記配置可能な構造形態から前記マッピング構造形態に遷移されるのに応じて前記解剖学的体積の前記境界の少なくとも一部の形状を示す前記少なくとも１つの符号化された光学的信号の１つの生成する、請求項１に記載の体積マッピング器具。
【請求項８】
囲まれた解剖学的体積の境界の少なくとも一部をマッピングする体積マッピングシステムにおいて、
解剖学的体積内で配置可能な体積マッピング器具であって、
少なくとも１つの医学的ツールであって、各医学的ツールは、前記解剖学的体積内に各医学的ツールを規則的に配置するための配置可能な構造形態と前記解剖学的体積の境界に対して各医学的ツールを固定するためのマッピング構造形態との間で遷移する、前記医学的ツール、及び
各医学的ツールに隣接した光学的形状センサであって、各医学的ツールが前記解剖学的体積内で前記配置可能な構造形態から前記マッピング構造形態に遷移するのに応じて前記解剖学的体積の前記境界の少なくとも一部の形状を示す少なくとも１つの符号化された光学的信号を生成するように構造的に構成される、当該光学的形状センサ、
を有する、当該体積マッピング器具と、
前記少なくとも１つの符号化された光学的信号を受け取るのに応じて前記解剖学的体積の前記境界の少なくとも一部をマッピングする体積マッピングモジュールと、
を有する、体積マッピングシステム。
【請求項９】
前記光学的形状センサが、動き、歪、気体流、流量、磁性、電圧、温度、圧力、及び生化学的状態の少なくとも１つを測定する、請求項８に記載の体積マッピングシステム。
【請求項１０】
各医学的ツールに対する前記光学的形状センサの隣接は、前記光学的形状センサの少なくとも１つが各医学的ツール及び各医学的ツールを通って延在する前記光学的形状センサを横切ることを含む、請求項８に記載の体積マッピングシステム。
【請求項１１】
前記少なくとも１つの医学的ツールが、少なくとも１つの医学的バルーンを含み、各医学的バルーンが、前記解剖学的体積内で前記医学的バルーンを規則的に配置するための収縮状態と前記解剖学的体積の前記境界に対して前記医学的バルーンを固定するための膨張状態との間で遷移する、請求項８に記載の体積マッピングシステム。
【請求項１２】
前記少なくとも１つの医学的ツールが、少なくとも１つの医学的バスケットを含み、各医学的バスケットが、形状記憶材料を含み、前記解剖学的体積内で前記医学的バスケットを規則的に配置するための細長い形状と前記解剖学的体積の前記境界に対して前記医学的バスケットを固定するための球状形状との間で遷移する、請求項８に記載の体積マッピングシステム。
【請求項１３】
前記少なくとも１つの医学的ツールが、少なくとも１つの医学的チューブであり、各医学的チューブが、形状記憶材料を含み、前記解剖学的体積内で前記医学的チューブを規則的に配置するための細長い形状と前記解剖学的体積の前記境界に対して前記医学的チューブを固定するためのらせん形状との間で遷移する、請求項８に記載の体積マッピングシステム。
【請求項１４】
前記光学的形状センサが、少なくとも１つの光ファイバを含み、各光ファイバは、各医学的ツールが前記解剖学的体積内で前記配置可能な構造形態から前記マッピング構造形態に遷移されるのに応じて前記解剖学的体積の前記境界の少なくとも一部の形状を示す前記少なくとも１つの符号化された光学的信号の１つの生成する、請求項８に記載の体積マッピングシステム。
【請求項１５】
囲まれた解剖学的体積の境界の少なくとも一部をマッピングするように少なくとも１つの医学的ツール及び前記少なくとも１つの医学的ツールに隣接した光学的形状センサを含む体積マッピング器具を配置する体積マッピング方法において、
前記解剖学的体積内で各医学的ツールを規則的に配置するステップと、
前記解剖学的体積の前記境界に対して前記解剖学的体積内に配置されるように各医学的ツールを固定するステップであって、前記光学的形状センサが前記各医学的ツールの固定を感知する、ステップと、
各医学的ツールが前記解剖学的体積の前記境界に対して固定されるのに応じて、前記光学的形状センサが前記解剖学的体積の前記境界の少なくとも一部の形状を示す少なくとも１つの符号化された光学的信号を生成するステップと、
前記少なくとも１つの符号化された光学的信号に基づいて前記解剖学的体積の前記境界の少なくとも一部をマッピングするステップと、
を有する、体積マッピング方法。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
犠牲的なテンプレート粒子を用意し、
反応性ポリマー前駆体と金属前駆体との混合物を、適当な条件下で上記犠牲的なテンプレート粒子上にてテンプレート化し、それにより上記反応性ポリマー前駆体を現場重合させると共に、分散した触媒作用物質前駆体を含有する反応性ポリマーで被覆された犠牲的なテンプレートを生成させ、
現場重合が開始された後に上記混合物を熱処理し、そして、
前記の犠牲的なテンプレート粒子を除去して、分散度の高い自己担持形で高表面積の触媒作用物質を生成すること、
を特徴とする触媒作用物質の生成方法。
【請求項２】
前記反応性ポリマーが、メラミン、カルボアルデヒド、カルバミド、およびこれらの組合せからなる群から選択される請求項１に記載の方法。
【請求項３】
前記反応性ポリマー前駆体が、メラミン（Ｍ）、ホルムアルデヒド（Ｆ）、尿素（Ｕ）、イミダゾリジニル尿素（ＩＭＤＺＵ）、ジアゾリジニル尿素（ＤＡＺＵ）、ピロール-2-カルボキシアルデヒド（２−ＰＣＡ）およびこれらの組合せからなる群から選択される請求項１に記載の方法。
【請求項４】
前記金属前駆体が鉄の前駆体である請求項１に記載の方法。
【請求項５】
前記金属前駆体が硝酸鉄である請求項２に記載の方法。
【請求項６】
前記の分散している前駆体の熱処理が熱分解からなる請求項１に記載の方法。
【請求項７】
前記の現場重合を可能にする適当な条件が酸の添加を含む請求項１に記載の方法。
【請求項８】
前記酸がＨ２ＳＯ４である請求項７に記載の方法。
【請求項９】
前記熱処理が第１の熱処理を７５０℃以上〜９００℃未満の温度で行う請求項４に記載の方法。
【請求項１０】
第２の熱分解を更に含む請求項１に記載の方法。
【請求項１１】
分散した触媒作用物質前駆体を含有する反応性ポリマーで被覆された前記の犠牲的なテンプレートをボールミル処理して、熱分解前に微粉末を生成する請求項１に記載の方法。
【請求項１２】
高度に分散した複数の活性金属サイト、およびメラミン、カルボアルデヒド、カルバミド、ホルムアルデヒド、イミダゾリジニル尿素、ジアゾリジニル尿素、ピロール-2-カルボキシアルデヒド又はこれらの組合せから形成されるポリマーから由来する相当量の炭素部位および窒素部位を有してなることを特徴とする未担持触媒作用物質。
【請求項１３】
前記の未担持触媒作用物質が少なくとも３００ｍ２ｇ−１の表面積を有する請求項１２に記載の未担持触媒作用物質。
【請求項１４】
前記活性金属サイトが金属前駆体を用いて形成され、この金属前駆体が鉄の前駆体である請求項１２に記載の未担持触媒作用物質。
【請求項１５】
前記活性金属サイトが金属前駆体を用いて形成され、この金属前駆体が硝酸鉄である請求項１２に記載の未担持触媒作用物質。
【請求項１６】
高度に分散した複数の活性金属サイト、およびメラミン、カルボアルデヒド、カルバミド、ホルムアルデヒド、イミダゾリジニル尿素、ジアゾリジニル尿素、ピロール-2-カルボキシアルデヒド又はこれらの組合せから形成されるポリマーから由来する相当量の炭素部位および窒素部位を有してなる未担持触媒作用物質であって、
犠牲的なテンプレート粒子を用意し、
反応性ポリマー前駆体と金属前駆体との混合物を、適当な条件下で上記犠牲的なテンプレート粒子上にて同時にテンプレート化し、それにより上記反応性ポリマー前駆体を現場重合させると共に、分散した触媒作用物質前駆体を含有する反応性ポリマーで被覆された犠牲的なテンプレートを生成させ、
上記の分散した触媒作用物質前駆体を熱処理し、そして、
前記の犠牲的なテンプレート粒子を除去して、分散度の高い自己担持形で高表面積の触媒作用物質を生成すること、
により形成されたことを特徴とする未担持触媒作用物質。
【請求項１７】
分散した触媒作用物質前駆体を含有する反応性ポリマーで被覆された前記の犠牲的なテンプレートをボールミル処理して、熱分解前に微粉末を生成するようにした請求項１６に記載の未担持触媒作用物質。
【請求項１８】
前記の未担持触媒作用物質が少なくとも３００ｍ２ｇ−１の表面積を有する請求項１６に記載の未担持触媒作用物質。
【誤訳訂正書】
【提出日】平成28年9月6日(2016.9.6)
【誤訳訂正１】
【訂正対象書類名】特許請求の範囲
【訂正対象項目名】全文
【訂正方法】変更
【訂正の内容】
【特許請求の範囲】
【請求項１】
チップオンボード（ＣＯＢ）発光ダイオード（ＬＥＤ）光源；
光源被包材；
量子ドット分散型色変換媒体；及び
量子ドットガラス格納プレート
を備える、照明デバイスであって、
前記ＣＯＢ  ＬＥＤ光源は、ヒートシンク骨組みおよび少なくとも１つのＬＥＤを備え、光源被包材キャビティを画成し、前記キャビティ内には前記光源被包材が前記ＬＥＤを覆うように分散され、
前記量子ドットガラス格納プレートは、前記光源被包材キャビティを覆うように位置決めされ、前記分散型色変換媒体を内包し、
前記分散型色変換媒体は、量子ドット構造を備え、前記量子ドットガラス格納プレート内における前記照明デバイスの放射領域全体に亘って２次元に分散されている、照明デバイス。
【請求項２】
前記光源被包材は一次分散型色変換媒体を含み、
前記量子ドットガラス格納プレートの前記色変換媒体は、前記照明デバイスの追加の放射領域を画成し、
前記一次分散型色変換媒体によって画成された前記放射領域は、前記量子ドットガラス格納プレートによって画成された前記追加の放射領域と空間的に合同であるがスペクトル的には異なり、
前記光源被包材はシリコーンを含み、
前記一次分散型色変換媒体は蛍光体を含む、請求項１に記載の照明デバイス。
【請求項３】
前記照明デバイスは、一次分散型色変換媒体を含む一次ガラス格納プレートを備え、
前記量子ドットガラス格納プレートの前記色変換媒体は、前記照明デバイスの追加の放射領域を画成し、
前記分散型色変換媒体によって画成された前記放射領域は、前記量子ドットプレートによって画成された前記追加の放射領域と空間的に合同であるがスペクトル的には異なる、請求項１に記載の照明デバイス。
【請求項４】
前記一次ガラス格納プレートは、ガラスマトリクス又はガラスフレームを備え、
前記一次分散型色変換媒体は、前記ガラスマトリクス又はフレーム内に分散された蛍光体を含み、
前記ガラスマトリクス又はフレームの内部容積内には、量子ドット構造が内包される、請求項３に記載の照明デバイス。
【請求項５】
前記一次ガラス格納プレートは、特定の色を得るために混合された様々な量子ドットサイズを含む、請求項３に記載の照明デバイス。
【請求項６】
前記光源被包材は、前記ＬＥＤを被包するのに十分な厚さで前記ＬＥＤを覆うように分散され、そして、前記量子ドットガラス格納プレートの前記量子ドット分散型色変換媒体から前記光源被包材を通って前記ヒートシンク骨組みまで延在する被包材熱伝導経路ＴＰＥを画成し、
前記光源被包材の厚さは、前記被包材熱伝導経路ＴＰＥが前記光源被包材を通って１００マイクロメートル未満だけ延在するような厚さである、請求項１から５いずれか１項に記載の照明デバイス。
【誤訳訂正２】
【訂正対象書類名】明細書
【訂正対象項目名】００３１
【訂正方法】変更
【訂正の内容】
【００３１】
図３、４に示す実施形態では、光源被包材１２０はいずれの分散型色変換媒体も含まない。しかしながら図３の実施形態では、量子ドットガラス格納プレート４０は、一次ガラス格納プレート１４０上に配置され、従ってＬＥＤ照明デバイス１００’の追加の放射領域を画成する。より具体的には、一次ガラス格納プレート１４０は、一次分散型色変換媒体１３０を備え、一次ガラス格納プレート１４０の分散型色変換媒体１３０によって画成された放射領域は、量子ドットプレート４０の量子ドット分散型色変換媒体５０によって画成された追加の放射領域と空間的に合同であるがスペクトル的には異なる。このようにして、量子ドットプレート４０によって画成された放射領域の放射スペクトルは、一次ガラス格納プレート１４０の分散型色変換媒体１３０によって画成された放射領域の放射スペクトルに、光学的な暖かみを付加するよう適合させることができる。例えば、一次ガラス格納プレート１４０の分散型色変換媒体１３０がＬＥＤ１１０からの青色光を黄色に変換する場合、量子ドットプレートの量子ドットは、黄色光のうちのある程度及び漏出する青色光を赤色に変換することによって暖かみを付加するよう適合させることができ、１つの利点は、放射帯域がＩＲへと尾を引くことによって光が浪費される赤色蛍光体の場合とは異なり、赤色量子ドットが比較的狭い放射帯域を有することである。
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
少なくとも１つのシールドされた領域を画定するために、少なくとも１つの導電性シールド壁をプリントモールドステンシル内に位置決めすることと、
その上に取り付けられた回路構成要素を有するように構成された回路ボード上に少なくとも１つの前記プリントモールドステンシルを位置決めすることと、
前記少なくとも１つのシールドされた領域内の前記回路構成要素の少なくとも１つが、モールド材料のボリュームによってカプセル化されるように、前記少なくとも１つのシールド壁で画定された少なくとも１つの前記プリントモールドステンシルの少なくとも一部に前記モールド材料を充填することと、
前記少なくとも１つのシールド壁を除いて少なくとも１つの前記プリントモールドステンシルを除去することと、
前記カプセル化ボリュームの周囲にシールド材料層を形成することと
を備える、コンフォーマル干渉シールド構造を作製する方法。
【請求項２】
前記少なくとも１つの回路構成要素を取り囲む前記回路ボード上のシールドされた区画を画定するために、前記シールド材料層が、前記シールド壁の少なくとも一部と電気的に接触する、請求項１に記載の方法。
【請求項３】
前記シールド材料層、および前記シールド壁の少なくとも前記一部が、前記シールドされた区画内の前記少なくとも１つの回路構成要素を電磁的にシールドするように構成される、請求項１に記載の方法。
【請求項４】
前記シールド材料層が、スパッタリングまたはプラズマ堆積によって形成される、請求項１に記載の方法。
【請求項５】
前記シールド材料層を形成する前に、前記シールド壁の少なくとも前記一部を露出させるために、前記モールド材料の一部を除去することをさらに備える、請求項１に記載の方法。
【請求項６】
前記モールド材料の前記一部を除去することが、研磨およびレーザ燃焼のうちの少なくとも１つを備える、請求項５に記載の方法。
【請求項７】
前記プリントモールドステンシル内の前記シールド壁の前記位置決めが、前記回路ボード上の前記プリントモールドステンシルの位置決めの前に生じる、請求項１に記載の方法。
【請求項８】
前記回路ボードに取り付けられた前記回路構成要素の少なくとも１つが前記シールドされた領域内になるように、前記プリントモールドステンシルが前記回路ボード上で位置決めされる、請求項１に記載の方法。
【請求項９】
前記少なくとも１つのシールド壁の高さが、プリントモールドステンシル壁の高さ以下である、請求項１に記載の方法。
【請求項１０】
前記モールド材料を１５°〜４０℃の範囲内の温度で付与することをさらに備える、請求項１に記載の方法。
【請求項１１】
前記モールド材料を真空または大気圧のうちの１つで付与することをさらに備える、請求項１０に記載の方法。
【請求項１２】
前記モールド材料を１００℃〜１８０℃の範囲内の温度で硬化させることをさらに備える、請求項１０に記載の方法。
【請求項１３】
前記少なくとも１つの回路構成要素が、回路構成要素の高さだけ前記回路ボードから延在する本体を有し、前記プリントモールドステンシルを前記モールド材料で充填することが、前記回路構成要素の高さと実質的に等しい充填高さまで充填することを備える、請求項１に記載の方法。
【請求項１４】
回路ボード上に配置された１つまたは複数の回路構成要素のコンフォーマルシールドのためのモールド材料を受け入れるための内部ボリュームを画定する少なくとも１つのプリントモールドステンシルを備え、前記ステンシルが、前記回路ボード上に配置される前に、前記ステンシルの前記内部ボリューム内に位置決めされた１つまたは複数の導電性シールド壁を含み、前記少なくとも１つのステンシルが、前記回路ボードの表面上に前記１つまたは複数の導電性シールド壁と共に取り外し可能に配置され、前記１つまたは複数の回路構成要素を包含するように構成され、前記１つまたは複数の導電性シールド壁が、前記回路ボードと電気的に結合し、前記少なくとも１つのプリントモールドステンシルから取り外し可能であるように構成された、コンフォーマル電磁干渉シールドを設けるためのプリントモールドステンシル装置。
【請求項１５】
回路ボードと、
前記回路ボード上に取り付けられ、前記回路ボードから延在する本体を有する回路構成要素と、
前記回路ボードに接続され、前記回路構成要素の前記本体を包含するシールドされた区画とを備え、ここにおいて、前記シールドされた区画が、モールド材料と、シールド層と、少なくとも１つのシールド壁とを備え、
ここにおいて、前記少なくとも１つのシールド壁が、プリントモールドステンシル内に取り外し可能に保持され、前記プリントモールドステンシルと共に前記回路ボード上に配置されることができ、前記モールド材料が、前記プリントモールドステンシルから形成され、前記シールド層が、前記モールド材料の表面上に、前記少なくとも１つのシールド壁と電気的に接触して配置され、ここにおいて、前記モールド材料が、前記回路構成要素の前記本体の少なくとも一部を包含し、前記回路ボード上に前記少なくとも１つのシールド壁と一体に形成される、コンフォーマルにシールドされた装置。
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
干渉分布情報を受信するステップと、
前記干渉分布情報に少なくとも部分的に基づいてアップリンク同期についてのタイミングアドバンスパラメータを選択するステップと、
前記選択されたタイミングアドバンスパラメータに従って通信するステップと
を含む、方法。
【請求項２】
前記干渉分布情報が、ネットワーク中の1つまたは複数のUEおよび/あるいは1つまたは複数のノードBからのアップリンクおよびダウンリンク送信によって生じたフレームのガード期間内の干渉に少なくとも部分的に基づく、請求項1に記載の方法。
【請求項３】
前記ガード期間を、各セクションが64N個のチップを含むN個の個別セクションに分割するステップをさらに含む、請求項2に記載の方法。
【請求項４】
前記N個の個別セクションのうちの少なくとも1つに基づいて前記タイミングアドバンスパラメータを選択するステップと、
前記N個の個別セクションのうちの前記少なくとも1つの各々に関連するランダムアクセス通信成功率を判断するステップと
をさらに含む、請求項3に記載の方法。
【請求項５】
前記ランダムアクセス通信成功率に基づいて前記タイミングアドバンスパラメータを選択するステップをさらに含む、請求項4に記載の方法。
【請求項６】
将来のタイミングアドバンス選択を実施するためのあらかじめ定義されたタイミングアドバンスパラメータ選択表を計算するステップをさらに含む、請求項4に記載の方法。
【請求項７】
前記あらかじめ定義されたタイミングアドバンスパラメータ選択表が、タイミングアドバンスごとに前記ランダムアクセス通信成功率を示す、請求項6に記載の方法。
【請求項８】
通信のための適切なタイミングアドバンスの識別まで、前記あらかじめ定義されたタイミングアドバンスパラメータ選択表上で1つまたは複数のタイミングアドバンスを連続的に選択するステップをさらに含む、請求項6に記載の方法。
【請求項９】
通信のための適切なタイミングアドバンスの識別まで、前記あらかじめ定義されたタイミングアドバンスパラメータ選択表上で1つまたは複数のタイミングアドバンスをランダムに選択するステップをさらに含む、請求項6に記載の方法。
【請求項１０】
タイミングアドバンスパラメータ選択表が動的に更新され、保存される、請求項6に記載の方法。
【請求項１１】
UEがアイドルモードにあるとき、前記UEにおける干渉を測定することによって前記干渉分布情報を判断するステップをさらに含む、請求項1に記載の方法。
【請求項１２】
ワイヤレス通信の装置であって、
干渉分布情報を受信するための手段と、
前記干渉分布情報に少なくとも部分的に基づいてアップリンク同期についてのタイミングアドバンスパラメータを選択するための手段と、
前記選択されたタイミングアドバンスパラメータに従って通信するための手段と
を含む、装置。
【請求項１３】
前記干渉分布情報が、ネットワーク中の1つまたは複数のUEおよび/あるいは1つまたは複数のノードBからのアップリンクおよびダウンリンク送信によって生じたフレームのガード期間内の干渉に少なくとも部分的に基づく、請求項12に記載の装置。
【請求項１４】
前記ガード期間を、各セクションが64N個のチップを含むN個の個別セクションに分割するようにさらに構成される、請求項13に記載の装置。
【請求項１５】
請求項１〜１１のいずれか一項に記載の方法を実行するためのコードを含むコンピュータ可読記録媒体上に格納されたコンピュータプログラム。
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
１つまたは複数のコンピュータ可読記憶媒体と、
収集環境の制御を容易にするための、前記１つまたは複数のコンピュータ可読記憶媒体上に記憶されたプログラム命令であって、処理システムによって実行されたときに、前記処理システムに、少なくとも、記録およびノートを含む複数の収集されたアイテムを有する収集ページの提示を、前記記録の少なくとも一部を生成しながら、開始することと、ユーザ入力によって選択された前記ノート内の単語を識別することと、後続のユーザ入力によって選択されたメディア機能を識別することと、適用される前記メディア機能が、前記単語と前記単語に対応する前記記録のセクションに同じような方法で処理されるように、前記単語に対応する前記記録のセクションに対する前記メディア機能の適用を開始することとを指示するプログラム命令と
を備えるコンピューティング装置。
【請求項２】
前記プログラム命令が、前記処理システムによって実行されたときに、前記処理システムに、前記ノートのどの単語が前記記録のどのセクションに対応するかを追跡することを行うようにさらに指示する、請求項１に記載のコンピューティング装置。
【請求項３】
前記ノート内の前記単語が、前記記録の異なるセクションに対応し、前記プログラム命令が、前記処理システムによって実行されたときに、前記処理システムに、前記記録内の前記セクションのどれが前記ユーザ入力によって選択された前記単語に対応するかを識別することを行うようにさらに指示する、請求項２に記載のコンピューティング装置。
【請求項４】
前記ユーザ入力が、タッチ行為を含み、前記後続のユーザ入力が、後続のタッチ行為を含む、請求項１に記載のコンピューティング装置。
【請求項５】
前記１つまたは複数のコンピュータ可読記憶媒体と結合され、前記プログラム命令を実行するように構成される前記処理システムをさらに備える、請求項１に記載のコンピューティング装置。
【請求項６】
前記記録が、オーディオ記録、ビデオ記録、文書プレゼンテーション記録、インスタントメッセージ記録、および仮想ホワイトボード記録のうちの少なくとも１つを含む、請求項１に記載のコンピューティング装置。
【請求項７】
収集環境を操作する方法であって、
前記収集環境の提示を開始する工程であって、前記収集環境が、複数のプレゼンテーションセクションを有するプレゼンテーション記録と、複数の文字言語セクションを有する文字言語パラグラフとを含む、工程
を含み、前記方法が、
前記複数の文字言語セクションのうちのどの文字言語セクションが前記文字言語パラグラフに対するユーザ入力に対応するかの識別、および前記複数のプレゼンテーションセクションのうちのどのプレゼンテーションセクションが前記文字言語セクションに対応するかの識別を開始する工程と、
前記文字言語セクションに対する他のユーザの直接入力に応えて、複数のメディア機能を含む機能メニューの表示を開始する工程と、
前記複数のメディア機能から１つのメディア機能の選択の受信を開始する工程と、
適用される前記メディア機能が、前記単語と前記対応するプレゼンテーションセクションに同じような方法で処理されるように、前記文字言語セレクションと前記対応するプレゼンテーション記録内の前記プレゼンテーションセクションに対する前記選択されたメディア機能の適用を開始する工程と
によって特徴付けられる、方法。
【請求項８】
前記複数のプレゼンテーションセクションのうちのどの１つが前記プレゼンテーション記録に対する別のユーザ入力に対応するかを識別する工程と、
前記文字言語パラグラフ内の前記複数の文字言語セクションのうちのどの１つが前記複数のプレゼンテーションセクションのうちの前記１つに対応するかを識別する工程と、
前記文字言語パラグラフ内の前記複数の文字言語セクションのうちの前記１つに対して別のメディア機能を適用する工程と
をさらに含む、請求項７に記載の方法。
【請求項９】
前記複数の文字言語セクションの各々が、前記複数のプレゼンテーションセクションのうちの異なる１つに対応し、前記方法が、前記複数の文字言語セクションのうちのどれが前記複数のプレゼンテーションセクションのうちのどれに対応するかを、前記文字言語パラグラフおよび前記プレゼンテーション記録を生成しながら、追跡する工程をさらに含む、請求項８に記載の方法。
【請求項１０】
前記メディア機能が、再生機能、ジャンプ機能、および削除機能のうちの少なくとも１つを含み、前記プレゼンテーション記録が、オーディオ記録、ビデオ記録、チャット記録、スライドショー記録、および仮想ホワイトボード記録のうちの少なくとも１つを含む、請求項９に記載の方法。
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
反応容器中で触媒の存在下でホルムアルデヒドを重合させる工程を含んでなる、官能化されたポリオキシメチレンブロックコポリマーの製造方法であって、
ホルムアルデヒドの重合を、少なくとも２個のZerewitinoff活性水素原子を有するスターター化合物の存在下でさらに行い、数平均分子量＜4500g/molである中間体を得、
得られた中間体を環状カルボン酸または炭酸エステルと反応させ、官能化されたポリオキシメチレンブロックコポリマーを得る、方法。
【請求項２】
前記触媒が、塩基性触媒および／またはルイス酸触媒の群から選択される、請求項１に記載の方法。
【請求項３】
請求項１または２に記載の方法により得られる、官能化されたポリオキシメチレンブロックコポリマー。
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
半導体材料の本体と、それぞれの端子を形成する少なくとも３つの導電コンタクトを規定する導電材料と、を含む電子デバイスであって、
前記半導体材料と前記導電コンタクトは、少なくとも部分的に重なって前記電子デバイスを規定し、いずれかの対の端子間の前記電子デバイスの電気特性がバリスタの電気特性に対応し、
当該各対の端子は、１つの端子と他のいずれかの２つの端子との間の電流を、第１端子に向かって正電流が流れるとき、正電位が付加される第２端子に無視できる電流が流れ、前記第２端子に対して負電位に保たれる第３端子から外に向かって正電流が流れ、一方、前記第１端子の外側に向かって負電流が流れるとき、前記第２端子に正電流が流れ、前記第３端子に無視できる電流が流れるように切り換え可能である、電子デバイス。
【請求項２】
半導体材料の前記本体は、印刷又はコーティングによって堆積された層を備える、請求項１に記載の電子デバイス。
【請求項３】
半導体材料の層が堆積された基板を含み、前記導電材料が半導体材料の前記層上に堆積されるか、又は前記導電材料が堆積された基板を備え、半導体材料の層が前記導電材料上に堆積される、
請求項１に記載の電子デバイス。
【請求項４】
バリスタ特性は、前記半導体材料と前記導電コンタクトを形成する材料との間の同一の整流接合により生じる、請求項１〜３のいずれか一項に記載の電子デバイス。
【請求項５】
前記半導体材料は、粒子又は微細粒材料であって、
半導体接合が粒子又は粒間の接続面で形成されることによって、バリスタ特性は、前記半導体材料における複数の対称の半導体接合から生じる、
請求項１〜３のいずれか一項に記載の電子デバイス。
【請求項６】
前記半導体材料は、少なくとも２つの電気異種材料を含む複合材料であり、
整流接合が２つの前記材料間の接触面で形成されることによって、前記バリスタ特性は、前記半導体材料においてランダムに配向されるか、又は対向する複数の整流接合から生じる、
請求項１〜３のいずれか一項に記載の電子デバイス。
【請求項７】
半導体材料の前記本体は、一方の側に配置された少なくとも２つの端子と、その他方の側に配置された少なくとも１つの端子と、を備えるプレート、層、又はディスクの形態である、請求項１に記載の電子デバイス。
【請求項８】
前記半導体材料は、一対の対向面を有する円柱又は正角柱の形態であって、２つの端子が対向面上にそれぞれ配置され、少なくとも１つの端子が、前記対向面を接続する表面上に配置される、請求項１に記載の電子デバイス。
【請求項９】
基板上に堆積された半導体材料の層を備え、
少なくとも３つの端子が前記層の一方の側に同一平面形状で配置される、
請求項１に記載の電子デバイス。
【請求項１０】
少なくとも１つの追加のコンタクトと、
前記追加のコンタクトと、他の前記導電コンタクトのうち少なくとも１つ又は半導体材料の前記本体との間に配置された絶縁材料の層と、
を含み、
前記少なくとも１つの追加のコンタクトは、追加の本体又はグランドコンタクトを形成する、
請求項１〜９のいずれか一項に記載の電子デバイス。
【請求項１１】
半導体材料の前記本体は、シリコン粒子を備える、請求項１〜１０のいずれか一項に記載の電子デバイス。